(57)【要約】【課題】表示装置を壁面に設置する際に、表示装置の背面側におけるケーブルの配置作業に時間がかかることを抑制できるようにする。【解決手段】表示装置１の設置構造は、壁面に対向する表示装置の背面１ｂのうち鉛直方向における表示装置の上端部に取り付けられる上側装置金具２と、表示装置の背面のうち鉛直方向における表示装置の下端部に取り付けられる下側装置金具３と、壁面に取り付けられ、上側装置金具に係止可能な上側壁金具４と、壁面のうち上側壁金具に対して鉛直方向下側に間隔をあけた位置に取り付けられ、下側装置金具に係止可能な下側壁金具５と、を備える。下側装置金具は、前記背面に沿って水平方向に互いに間隔をあけて二つ配列され、下側壁金具は、壁面に沿って水平方向に互いに間隔をあけて二つ配列される。二つの下側壁金具は、二つの下側装置金具にそれぞれ係止される。【選択図】図１
2020134645.tif 000002
【特許請求の範囲】
【請求項１】
板状に形成された表示装置を、鉛直方向に延びる壁面に設置する表示装置の設置構造であって、
前記壁面に対向する前記表示装置の背面のうち鉛直方向における前記表示装置の上端部に取り付けられる上側装置金具と、
前記表示装置の背面のうち鉛直方向における前記表示装置の下端部に取り付けられる下側装置金具と、
前記壁面に取り付けられ、前記上側装置金具に係止可能な上側壁金具と、
前記壁面のうち前記上側壁金具に対して鉛直方向下側に間隔をあけた位置に取り付けられ、前記下側装置金具に係止可能な下側壁金具と、
を備え、
前記下側装置金具は、前記背面に沿って水平方向に互いに間隔をあけて二つ配列され、
前記下側壁金具は、前記壁面に沿って水平方向に互いに間隔をあけて二つ配列され、
二つの前記下側壁金具は、二つの前記下側装置金具にそれぞれ係止される表示装置の設置構造。
【請求項２】
請求項１に記載の表示装置の設置構造の組み立てに用いる金具ユニットであって、
二つの前記下側壁金具と、二つの前記下側壁金具を互いに間隔をあけた位置に保持する治具と、を備え、
前記治具は、二つの前記下側壁金具に対して着脱可能である金具ユニット。
【請求項３】
二つの前記下側壁金具は、それぞれ、前記壁面に重ねて配される第一板部と、前記第一板部の縁から前記第一板部の板厚方向に延びる第二板部と、前記第二板部に対してその板厚方向に延びる係止具と、を備え、
前記治具は、二つの前記下側壁金具の前記第二板部をその板厚方向から挟む一対の挟持板部を備え、
一方の前記挟持板部には、その板厚方向に貫通して二つの前記下側壁金具の前記係止具をそれぞれ挿通させる少なくとも二つの挿通孔が形成されている請求項２に記載の金具ユニット。
【請求項４】
前記治具は、段ボールによって構成されている請求項２又は請求項３に記載の金具ユニット。
【請求項５】
請求項２から請求項４のいずれか一項に記載の金具ユニットを用いて二つの前記下側壁金具を前記壁面に取り付ける金具取付方法であって、
二つの前記下側壁金具が前記治具によって保持された状態で二つの前記下側壁金具をそれぞれ壁面に取り付けた後に、前記治具を二つの前記下側壁金具から取り外す金具取付方法。
【発明の詳細な説明】
【技術分野】
【０００１】
本発明は、表示装置の設置構造、金具ユニット、及び、金具取付方法に関する。
【背景技術】
【０００２】
液晶ディプレイ等のように板状に形成された表示装置は、建物の壁面に掛けて設置されることがある。
特許文献１には、表示装置の背面に固定された矩形環状の支持フレームを、表示装置の背面に対向する壁面に固定された矩形環状のベースフレームに係止することで、表示装置を壁面に設置することが開示されている。
【先行技術文献】
【特許文献】
【０００３】
【特許文献１】実用新案登録第３０９６７６９号公報
【発明の概要】
【発明が解決しようとする課題】
【０００４】
ところで、表示装置の背面側には、表示装置に接続される各種のケーブルが配される。特に、複数の表示装置を並べて当該複数の表示装置に一つの大きな映像を表示するマルチディスプレイシステムでは、表示装置同士を接続するケーブルなども必要となるため、表示装置の背面側に配されるケーブルの数も多くなる。このため、特許文献１のように、表示装置の背面側に配される環状の支持フレームやベースフレームは、表示装置の背面にケーブルを配置する作業の邪魔となりやすい。すなわち、表示装置を壁面に設置する際に、表示装置の背面側におけるケーブルの配置作業に時間がかかってしまう、という問題がある。
【０００５】
この発明は、上述した事情に鑑みてなされたものであって、表示装置を壁面に設置する際に、表示装置の背面側におけるケーブルの配置作業に時間がかかることを抑制できる表示装置の設置構造、金具ユニット及び金具取付方法を提供することを目的とする。
【課題を解決するための手段】
【０００６】
本発明の一態様は、板状に形成された表示装置を、鉛直方向に延びる壁面に設置する表示装置の設置構造であって、前記壁面に対向する前記表示装置の背面のうち鉛直方向における前記表示装置の上端部に取り付けられる上側装置金具と、前記表示装置の背面のうち鉛直方向における前記表示装置の下端部に取り付けられる下側装置金具と、前記壁面に取り付けられ、前記上側装置金具に係止可能な上側壁金具と、前記壁面のうち前記上側壁金具に対して鉛直方向下側に間隔をあけた位置に取り付けられ、前記下側装置金具に係止可能な下側壁金具と、を備え、前記下側装置金具は、前記背面に沿って水平方向に互いに間隔をあけて二つ配列され、前記下側壁金具は、前記壁面に沿って水平方向に互いに間隔をあけて二つ配列され、二つの前記下側壁金具は、二つの前記下側装置金具にそれぞれ係止される表示装置の設置構造である。
【０００７】
本発明の一態様は、前記表示装置の設置構造の組み立てに用いる金具ユニットであって、二つの前記下側壁金具と、二つの前記下側壁金具を互いに間隔をあけた位置に保持する治具と、を備え、前記治具は、二つの前記下側壁金具に対して着脱可能である金具ユニットである。
【０００８】
本発明の一態様は、前記金具ユニットを用いて二つの前記下側壁金具を前記壁面に取り付ける金具取付方法であって、二つの前記下側壁金具が前記治具によって保持された状態で二つの前記下側壁金具をそれぞれ壁面に取り付けた後に、前記治具を二つの前記下側壁金具から取り外す金具取付方法である。
【発明の効果】
【０００９】
本発明によれば、表示装置を壁面に設置する際に、表示装置の背面側におけるケーブルの配置作業に時間がかかることを抑制できる。
【図面の簡単な説明】
【００１０】
【図１】本発明の一実施形態に係る表示装置の設置構造を示す斜視図である。
【図２】本発明の一実施形態に係る表示装置の設置構造の概略を示す側面図である。
【図３】図１，２の設置構造において、上側装置金具と上側壁金具との関係を示す斜視図である。
【図４】図１，２の設置構造において、下側装置金具と下側壁金具との関係を示す斜視図である。
【図５】図１，２の設置構造において、互いに係止した上側装置金具及び上側壁金具に対してストッパー部材を取り付ける過程を示す斜視図である。
【図６】図１，２の設置構造において、互いに係止した上側装置金具及び上側壁金具に対してストッパー部材を取り付ける過程を示す斜視図である。
【図７】図１，２の設置構造において、互いに係止した上側装置金具及び上側壁金具に対してストッパー部材を取り付ける過程を示す斜視図である。
【図８】本発明の一実施形態に係る表示装置の設置構造を、マルチディスプレイシステムに適用した構成を示す斜視図である。
【図９】本発明の一実施形態に係る金具ユニットの第一例を示す斜視図である。
【図１０】図９の金具ユニットにおいて、治具を下側壁金具から取り外す過程を示す斜視図である。
【図１１】本発明の一実施形態に係る金具ユニットの第二例を示す斜視図である。
【図１２】図１１の金具ユニットにおいて、治具を下側壁金具から取り外す過程を示す斜視図である。
【図１３】図９、１１に示す金具ユニット及び上側壁金具を梱包箱に収容した状態を示す図である。
【発明を実施するための形態】
【００１１】
以下、図１〜１３を参照して本発明の一実施形態について説明する。
図１，２に示すように、本実施形態に係る表示装置１の設置構造は、板状に形成された表示装置１を、鉛直方向に延びる壁面Ｗに設置する構造である。
図１〜８においては、Ｚ軸方向が鉛直方向を示している。また、Ｘ軸方向は、水平方向のうち表示装置１の背面１ｂや壁面Ｗに沿う方向を示し、以下の説明では左右方向と呼ぶことがある。また、Ｙ軸方向は、水平方向のうち表示装置１の厚さ方向に対応する方向（前後方向）を示している。
【００１２】
表示装置１は、その厚さ方向から見て矩形状に形成されている。表示装置１は、前面１ａに画像や映像を表示する表示面を有する。図示しないが、表示装置１の背面１ｂには、各種のケーブルが接続されるコネクタが設けられる。表示装置１は、例えば液晶ディスプレイや有機ＥＬディスプレイ等であってよい。
【００１３】
本実施形態に係る表示装置１の設置構造は、表示装置１の背面１ｂに取り付けられる上側装置金具２及び下側装置金具３と、表示装置１の背面１ｂが対向する壁面Ｗに取り付けられる上側壁金具４及び下側壁金具５と、を備える。
【００１４】
上側装置金具２は、表示装置１の背面１ｂのうち鉛直方向における表示装置１の上端部に取り付けられる。上側装置金具２は、例えば左右方向において表示装置１の一端から他端まで延びる帯状に形成されてよい。本実施形態において、上側装置金具２は、表示装置１の背面１ｂに沿って水平方向（左右方向）に互いに間隔をあけて二つ配列されている。二つの上側装置金具２は、表示装置１の背面１ｂのうち表示装置１の上端かつ左右方向の両端に配されている。
【００１５】
図１〜３に示すように、各上側装置金具２は、第一板部２１と、第二板部２２と、係止具２３と、を備える。
第一板部２１は、表示装置１の背面１ｂに重ねて配される。第一板部２１は、ねじ等によって表示装置１の背面１ｂに固定される。
第二板部２２は、第一板部２１の縁から第一板部２１の板厚方向に延びる。第一板部２１を表示装置１の背面１ｂに固定した状態において、第二板部２２は、その板厚方向が鉛直方向に向くように表示装置１の背面１ｂから突出する。図示例において、第二板部２２は、第一板部２１よりも鉛直方向の上側に位置するが、これに限ることはない。
【００１６】
係止具２３は、第二板部２２に対してその板厚方向に延びる。係止具２３は、任意の形状に形成されてよいが、本実施形態では棒状やピン状に形成されている。係止具２３は、少なくとも第二板部２２から鉛直方向の下側に延びていればよい。本実施形態において、係止具２３は、第二板部２２をその板厚方向に貫通するように設けられている。すなわち、係止具２３は、第二板部２２から鉛直方向の両側に延びている。
【００１７】
また、本実施形態の係止具２３は、第二板部２２から鉛直方向の下側に延びる係止具２３の長さを調整できるように、第二板部２２に取り付けられている。図示しないが、係止具２３の外周には雄ねじが形成されており、係止具２３の雄ねじが第二板部２２に形成された雌ねじと噛み合う。これにより、係止具２３の長さを調整できる。
また、第二板部２２から鉛直方向の下側に延びる係止具２３の下端部には、フランジ２４が形成されている。
【００１８】
図１，２に示すように、下側装置金具３は、表示装置１の背面１ｂのうち鉛直方向における表示装置１の下端部に取り付けられる。下側装置金具３は、表示装置１の背面１ｂに沿って水平方向（左右方向）に互いに間隔をあけて二つ配列されている。二つの下側装置金具３は、表示装置１の背面１ｂのうち表示装置１の下端かつ左右方向の両端に配されている。
【００１９】
図２，４に示すように、各下側装置金具３は、第一板部３１と、第二板部３２と、を備える。
第一板部３１は、表示装置１の背面１ｂに重ねて配される。第一板部３１は、ねじ等によって表示装置１の背面１ｂに固定される。
第二板部３２は、第一板部３１の縁から第一板部３１の板厚方向に延びる。第一板部３１を表示装置１の背面１ｂに固定した状態において、第二板部３２は、その板厚方向が鉛直方向に向くように表示装置１の背面１ｂから突出する。図示例において、第二板部３２は、第一板部３１よりも鉛直方向の下側に位置するが、これに限ることはない。第二板部３２には、その板厚方向（鉛直方向）に貫通する係止孔３３が形成されている。係止孔３３は、左右方向に長く延びる長孔として形成されている。
【００２０】
図１，２に示すように、上側壁金具４は、壁面Ｗに取り付けられ、前述した上側装置金具２に係止可能である。
上側壁金具４は、例えば上側装置金具２と同様に、左右方向に互いに間隔をあけて二つ配列されてよい。本実施形態において、上側壁金具４は、左右方向に延びる帯状に形成されている。二つの上側装置金具２は、上側壁金具４の長手方向の両端部に係止される。
【００２１】
図１〜３に示すように、上側壁金具４は、第一板部４１と、第二板部４２と、を備える。
第一板部４１は、左右方向に延びる帯板状に形成されている。第一板部４１は、壁面Ｗに重ねて配される。第一板部４１は、ねじ等によって壁面Ｗに固定される。図示例において、第一板部４１に形成されて固定用のねじを通す孔４３は、左右方向に延びる長孔に形成されている。これにより、上側壁金具４を壁面Ｗに取り付ける位置を左右方向に調整することができる。
【００２２】
第二板部４２は、第一板部４１の縁から第一板部４１の板厚方向に延びる。第一板部４１を壁面Ｗに固定した状態において、第二板部４２は、その板厚方向が鉛直方向に向くように壁面Ｗから突出する。
第二板部４２は、少なくとも第一板部４１の長手方向（左右方向）の両端部に形成されればよい。本実施形態において、第二板部４２は、左右方向に延びる帯板状に形成されている。第二板部４２の長手方向の両端部において第一板部４１から延びる第二板部４２の長さは、第二板部４２の他の部位（中途部）よりも長くなっている。
図示例において、第二板部４２は、第一板部４１よりも鉛直方向の上側に位置するが、これに限ることはない。
【００２３】
図２，３に示すように、第二板部４２には、その板厚方向（鉛直方向）に貫通する係止孔４４がそれぞれ形成される。係止孔４４は、左右方向に長く延びる長孔として形成されている。図３においては、係止孔４４が第二板部４２の長手方向の一端部に形成されている様子だけが図示されているが、係止孔４４は第二板部４２の長手方向の両端部に形成される。二つの係止孔４４同士の間隔は、前述した二つの上側装置金具２（特に二つの係止具２３）同士の間隔と概ね等しい。
上側壁金具４の係止孔４４に、上側装置金具２の係止具２３が挿入されることで、上側装置金具２と上側壁金具４とが相互に係止される。
【００２４】
図１，２に示すように、下側壁金具５は、壁面Ｗのうち上側壁金具４に対して鉛直方向下側に間隔をあけた位置に取り付けられる。下側壁金具５は、前述した下側装置金具３に係止可能である。下側壁金具５は、下側装置金具３と同様に、左右方向に互いに間隔をあけて二つ配列されている。二つの下側壁金具５は、二つの下側装置金具３にそれぞれ係止される。
【００２５】
図２，４に示すように、各下側壁金具５は、第一板部５１と、第二板部５２と、係止具５３と、を備える。
第一板部５１は、壁面Ｗに重ねて配される。第一板部５１は、ねじ等によって壁面Ｗに固定される。
第二板部５２は、第一板部５１の縁から第一板部５１の板厚方向に延びる。第一板部５１を壁面Ｗに固定した状態において、第二板部５２は、その板厚方向が鉛直方向に向くように壁面Ｗから突出する。図示例において、第二板部５２は、第一板部５１よりも鉛直方向の下側に位置するが、これに限ることはない。
【００２６】
係止具５３は、第二板部５２に対してその板厚方向に延びる。係止具５３は、任意の形状に形成されてよいが、本実施形態では棒状やピン状に形成されている。本実施形態において、係止具５３は、第一板部５１を壁面Ｗに固定した状態において、第二板部５２に対して鉛直方向上側に延びる。
図１１，２，４に示すように、二つの下側壁金具５の係止具５３が、二つの下側装置金具３の係止孔３３にそれぞれ挿入されることで、二つの下側装置金具３が二つの下側壁金具５にぞれぞれ係止される。
【００２７】
上記したように、表示装置１の背面１ｂに上側装置金具２及び下側装置金具３を設け、かつ、壁面Ｗに上側壁金具４及び下側壁金具５を設けておくことで、表示装置１を壁面Ｗに設置することができる。
表示装置１を壁面Ｗに設置する際には、図２に示すように、上側装置金具２の第二板部２２が上側壁金具４の第二板部４２の上側に重なるように、かつ、下側装置金具３の第二板部３２が下側壁金具５の第二板部５２の上側にそれぞれ重なるように、表示装置１を壁面Ｗに沿って下方に移動させればよい。これにより、上側装置金具２の係止具２３が上側壁金具４の係止孔４４に挿入されると共に、下側壁金具５の係止具５３が下側装置金具３の係止孔３３に挿入される。以上により、壁面Ｗに対する表示装置１の設置が完了する。
【００２８】
図５に示すように、上側装置金具２の係止具２３を上側壁金具４の係止孔４４に挿入しても、上側装置金具２の係止具２３のフランジ２４は、上側壁金具４の係止孔４４を通らず、上側壁金具４の第二板部４２の上面に当たる。このため、上側装置金具２の第二板部２２から鉛直方向下側に延びる係止具２３の長さに応じて、上側壁金具４に対する上側装置金具２（すなわち表示装置１）の高さ位置を決めることができる。
【００２９】
表示装置１を壁面Ｗに設置した後には、図５〜７に示すように、上側装置金具２及び上側壁金具４に対してストッパー部材６を取り付けて、上側装置金具２の係止具２３が上側壁金具４の係止孔４４から抜けることを防ぐ。
具体的に、ストッパー部材６は、図５，６に示すように、上側壁金具４の第二板部４２との間に上側装置金具２の係止具２３のフランジ２４を挟み込むように取り付けられる。ストッパー部材６は、図７に示すように、ねじ６１によって上側壁金具４に固定される。これにより、上側装置金具２の係止具２３のフランジ２４が上側壁金具４の第二板部４２の上面から離れることを防止できる。すなわち、上側装置金具２の係止具２３が上側壁金具４の係止孔４４から抜けることを防いで、表示装置１が壁面Ｗから外れることを防止できる。
【００３０】
本実施形態の表示装置１の設置構造では、図８に例示するように、複数の表示装置１が縦横方向（鉛直方向及び左右方向）に並ぶように、複数の表示装置１を壁面Ｗに設置してマルチディスプレイシステムを構築することができる。以下、マルチディスプレイシステムにおける複数の表示装置１の設置について説明する。
【００３１】
マルチディスプレイシステムを構成する複数の表示装置１の背面１ｂには、いずれも二つの上側装置金具２及び二つの下側装置金具３が取り付けられる。
マルチディスプレイシステムを構成する複数の表示装置１のうち、鉛直方向において最も下に位置する下段表示装置１Ｃは、前述したように、壁面Ｗに取り付けられた上側壁金具４及び下側壁金具５を利用して、壁面Ｗに設置される。すなわち、下段表示装置１Ｃを壁面Ｗに設置する際には、上側装置金具２を壁面Ｗに取り付けられた上側壁金具４に係止させる。また、下側装置金具３を壁面Ｗに取り付けられた下側壁金具５に係止させる。
【００３２】
一方、複数の表示装置１のうち、下段表示装置１Ｃの鉛直方向上側に重ねて配される上段表示装置１Ｄは、壁面Ｗに取り付けられた上側壁金具４、及び、下段表示装置１Ｃに取り付けられた上側装置金具２を利用して、壁面Ｗに設置される。
上段表示装置１Ｄを壁面Ｗに設置する際には、下段表示装置１Ｃの場合と同様に、上段表示装置１Ｄの上側装置金具２を、壁面Ｗに取り付けられた上側壁金具４に係止させる。ただし、上段表示装置１Ｄの下側装置金具３を、下段表示装置１Ｃの上側装置金具２に係止させる。具体的には、上段表示装置１Ｄの下側装置金具３の係止孔３３に、下段表示装置１Ｃの上側装置金具２の係止具２３を挿入させる。これにより、上段表示装置１Ｄは、下側壁金具５を用いることなく、壁面Ｗに設置される。
【００３３】
次に、図９〜１２を参照して、本実施形態に係る表示装置１の設置構造の組み立てに用いる金具ユニット１００Ｅ，１００Ｆについて説明する。
図９，１１に示すように、金具ユニット１００Ｅ，１００Ｆは、二つの下側壁金具５と、治具８と、を備える。二つの下側壁金具５は、同一の表示装置１の設置に用いられる。治具８は、これら二つの下側壁金具５を互いに間隔をあけた位置に保持する。治具８は、二つの下側壁金具５の配列方向に延びている。治具８は、その長手方向の両端部に二つの下側壁金具５を保持する。治具８は、二つの下側壁金具５に対して着脱可能である。
【００３４】
本実施形態において、治具８は、一対の挟持板部８１Ａ，８１Ｂを備える。一対の挟持板部８１Ａ，８１Ｂは、二つの下側壁金具５の第二板部５２をその板厚方向から挟む。一対の挟持板部８１Ａ，８１Ｂは、それぞれ二つの下側壁金具５の配列方向に延びる帯状に形成されている。一方の挟持板部８１Ａには、その板厚方向に貫通する二つの挿通孔８２が形成されている。二つの挿通孔８２は、挟持板部８１Ａ，８１Ｂの長手方向に間隔をあけて配列されている。二つの挿通孔８２は、挟持板部８１Ａ，８１Ｂの長手方向の両端部に形成されている。
【００３５】
図９，１０に例示する第一例の治具８Ｅにおいては、一対の挟持板部８１Ａ，８１Ｂが、板厚方向に重なる閉じた位置Ｐ１と互いに重ならない開いた位置Ｐ２との間で開閉可能に連結されている。
一対の挟持板部８１Ａ，８１Ｂは、これらの間に下側壁金具５の第二板部５２を挟み、かつ、一方の挟持板部８１Ａの挿通孔８２に下側壁金具５の係止具５３を挿通させた状態で、テープ８３によって閉じた位置Ｐ１に保持される。これにより、二つの下側壁金具５を第一例の治具８Ｅに保持することができる。
【００３６】
図１１，１２に例示する第二例の治具８Ｆにおいては、一対の挟持板部８１Ａ，８１Ｂが、互いに板厚方向に重なる位置に保持されてよい。すなわち、第二例における一対の挟持板部８１Ａ，８１Ｂは、第一例のように開閉可能とされなくてもよい。第二例の治具８Ｆにおいて、二つの挿通孔８２が形成される一方の挟持板部８１Ａは、帯状に延びる本体板部８５と、板状に形成された二つの小片８６と、を備える。
【００３７】
本体板部８５は、他方の挟持板部８１Ｂに対してその板厚方向に重なるように配される。本体板部８５には、その幅方向の一端から他端に向けて延びるスリット８７が形成されている。スリット８７は、本体板部８５の長手方向の両端部（二つの挿通孔８２に対応する位置）に形成される。なお、図１２（ｂ）においては、他方の挟持板部８１Ｂにも同様のスリット８７が形成されているが、これに限ることはない。
二つの小片８６には、その板厚方向に貫通する挿通孔８２が一つずつ形成されている。各小片８６は、その挿通孔８２が本体板部８５のスリット８７と重なるように、本体板部８５の長手方向の両端部に重ねて配される。各小片８６は、テープ８３によって本体板部８５に固定される。
【００３８】
第二例の治具８Ｆに対し、下側壁金具５は、以下のようにして保持される。はじめに、下側壁金具５の係止具５３が本体板部８５のスリット８７に入るように、本体板部８５と他方の挟持板部８１Ｂとの間に下側壁金具５の第二板部５２を挿入する。次いで、下側壁金具５の係止具５３を小片８６の挿通孔８２に挿通させながら、小片８６を本体板部８５に重ねて配する。最後に、小片８６をテープ８３等の固定手段によって本体板部８５に固定する。以上により、下側壁金具５を第二例の治具８Ｆに保持することができる。
【００３９】
本実施形態において、上記した第一例及び第二例の治具８Ｅ，８Ｆ（特に一対の挟持板部８１Ａ，８１Ｂ）は、いずれも段ボールによって構成されている。
【００４０】
次に、図９〜１２を参照し、本実施形態の金具ユニット１００Ｅ，１００Ｆを用いて二つの下側壁金具５を壁面Ｗに取り付ける金具取付方法について説明する。
本実施形態の金具取付方法では、はじめに図９，１１に示すように、二つの下側壁金具５が治具８によって保持された状態で、二つの下側壁金具５をねじ５５などによって壁面Ｗに取り付ける。その後、図１０，１２に示すように、治具８を二つの下側壁金具５から取り外す。図１０，１２においては、一方の下側壁金具５と治具８との関係しか図示されていないが、他方の下側壁金具５と治具８との関係も同様である。
【００４１】
図９に示す第一例の治具８Ｅを二つの下側壁金具５から取り外す際には、はじめにテープ８３を治具８Ｅから取り外し、図１０（ａ）に示すように、一対の挟持板部８１Ａ，８１Ｂを互いに閉じた位置Ｐ１から開いた位置Ｐ２へと移動させる。具体的には、挿通孔８２が形成されていない他方の挟持板部８１Ｂを下側壁金具５の第二板部５２から離すように移動させる。これにより、一対の挟持板部８１Ａ，８１Ｂによる下側壁金具５の第二板部５２の挟み込みが解除される。その後、図１０（ｂ）に示すように、係止具５３が一方の挟持板部８１Ａの挿通孔８２から抜き出るように、一方の挟持板部８１Ａを上方に移動させることで、第一例の治具８Ｅの取り外しが完了する。
【００４２】
図１１に示す第二例の治具８Ｆを二つの下側壁金具５から取り外す際には、はじめにテープ８３を取り外し、図１２（ａ）に示すように、係止具５３が小片８６の挿通孔８２から抜き出るように、挿通孔８２の小片８６を本体板部８５の上方に移動させる。その後、図１２（ｂ）に示すように、係止具５３が本体板部８５のスリット８７から抜け出るように、かつ、第二板部５２が本体板部８５及び他方の挟持板部８１Ｂの間から抜き出るように、本体板部８５及び他方の挟持板部８１Ｂを移動させる。以上により、第二例の治具８Ｆの取り外しが完了する。
【００４３】
以上説明したように、本実施形態に係る表示装置１の設置構造によれば、二つの下側壁金具５、及び、これらに各々係止される二つの下側装置金具３が、水平方向において互いに間隔をあけて位置する。このため、二つの下側壁金具５や二つの下側装置金具３が水平方向に長く延びて一体に形成される場合と比較して、下側壁金具５や下側装置金具３が表示装置１の背面１ｂ側におけるケーブルの配置作業の邪魔となりにくい。例えば、ケーブルを、二つの下側壁金具５や二つの下側装置金具３の間に簡単に通すことができる。これにより、表示装置１を壁面Ｗに設置する際に、表示装置１の背面１ｂ側におけるケーブルの配置作業に時間がかかることを抑制できる。また、ケーブルを配置する作業性を改善することができる。
【００４４】
また、二つの下側壁金具５が互いに間隔をあけて配列されることで、二つの下側壁金具５が水平方向に長く延びて一体に形成される場合と比較して、下側壁金具５の材料費を低く抑えることができる。すなわち、表示装置１の設置構造のコスト低減を図ることができる。
【００４５】
また、本実施形態に係る表示装置１の設置構造において、図８に示したように、マルチディスプレイシステムを構築するように複数の表示装置１を壁面Ｗに設置する場合、下側壁金具５は、下段表示装置１Ｃの設置のみに用いられ、上段表示装置１Ｄの設置には用いられない。このため、同一の表示装置１の壁掛けに使用し得る上側壁金具４及び下側壁金具５が、一つのセットにまとまっていると、幾つかの下側壁金具５が余ってしまい、余った下側壁金具５を廃棄する必要がある。
これに対し、本実施形態では、同一の表示装置１に対応する下側壁金具５が二つに分けて構成されている。これにより、下側壁金具５の部品サイズが小さくなり、下側壁金具５の廃棄処理に要する工数とコストを低減することができる。
【００４６】
さらに、本実施形態に係る金具ユニット１００Ｅ，１００Ｆ及び金具取付方法によれば、二つの下側壁金具５を治具８によって保持した状態で、二つの下側壁金具５をそれぞれ壁面Ｗに取り付けることができる。これにより、壁面Ｗにおける二つの下側壁金具５の相対的な位置決めを簡単に行うことができる。
【００４７】
また、本実施形態に係る金具ユニット１００Ｅ，１００Ｆ及び金具取付方法によれば、二つの下側壁金具５を壁面Ｗに取り付けた後に、治具８を二つの下側壁金具５から取り外すことができる。すなわち、表示装置１を壁面Ｗに設置する前に、治具８を取り外すことができる。これにより、治具８が表示装置１の背面１ｂ側におけるケーブルの配置作業の邪魔になることを防止できる。
【００４８】
また、本実施形態に係る金具ユニット１００Ｅ，１００Ｆによれば、二つの下側壁金具５が治具８によって保持される。このため、例えば図１３に示すように、二つの下側壁金具５を梱包箱２００の同一の収納空間２０１に収納しても、梱包箱２００の輸送時などにおいて、二つの下側壁金具５同士が梱包箱２００内において相互に動いて衝突することを防止できる。
【００４９】
なお、図１３に例示する梱包箱２００は、同一の表示装置１の壁掛けに使用し得る上側壁金具４及び二つの下側壁金具５のセットを収納する。梱包箱２００は、仕切板２０３によって仕切られた二つの収納空間２０１，２０２を有する。二つの収納空間２０１，２０２には、一つの上側壁金具４と、二つの下側壁金具５とが収納される。各収納空間２０１，２０２は、帯状に形成された上側壁金具４のサイズにあわせて左右方向に長く延びており、各下側壁金具５のサイズよりも大きい。ただし、二つの下側壁金具５は、左右方向に長く延びる治具８によって保持されているため、新たに仕切板を増やさなくても、二つの下側壁金具５が収納空間２０１，２０２内で動くことを抑制又は防止できる。
【００５０】
また、本実施形態に係る金具ユニット１００Ｅ，１００Ｆによれば、治具８は、二つの下側壁金具５の第二板部５２を挟む一対の挟持板部８１Ａ，８１Ｂを備える。また、一方の挟持板部８１Ａには、二つの下側壁金具５の係止具５３をそれぞれ挿通させる二つの挿通孔８２が形成されている。これにより、二つの下側壁金具５を確実に治具８に保持することができる。
また、治具８は、二つの下側壁金具５の第一板部５１には取り付けられない。このため、治具８が、壁面Ｗに対する下側壁金具５の取り付けを阻害することを防止できる。
【００５１】
また、本実施形態に係る金具ユニット１００Ｅ，１００Ｆによれば、治具８が段ボールによって構成されている。このため、治具８を安価に構成することができる。
【００５２】
以上、本発明に係る表示装置の設置構造、金具ユニット及び金具取付方法の実施形態について説明したが、本発明は上記の実施形態に限定されるものではなく、その趣旨を逸脱しない範囲において適宜変更可能である。
【００５３】
本発明の金具ユニットにおいて、治具８の一方の挟持板部８１Ａには、下側壁金具５の係止具５３を挿通させる挿通孔８２が、例えば三つ以上形成されてもよい。三つ以上の挿通孔８２が挟持板部８１Ａ，８１Ｂの長手方向に間隔をあけて配列される場合、二つの下側壁金具５の係止具５３を挿通させる二つの挿通孔８２の位置に応じて、二つの下側壁金具５の相対的な位置を適宜変更することができる。したがって、治具８の汎用性向上を図ることができる。
【００５４】
本発明の表示装置の設置構造においては、少なくとも上側装置金具２に上側壁金具４が係止され、下側装置金具３に下側壁金具５が係止されればよい。例えば、上側壁金具４の第二板部４２に係止具が設けられ、上側装置金具２の第二板部２２に係止孔が形成されてもよい。また、例えば、下側装置金具３の第二板部３２に係止具が設けられ、下側壁金具５の第二板部５２に係止孔が形成されてもよい。
【符号の説明】
【００５５】
１  表示装置
１ａ  前面
１ｂ  背面
１Ｃ  下段表示装置
１Ｄ  上段表示装置
２  上側装置金具
２３  係止具
３  下側装置金具
３３  係止孔
４  上側壁金具
４４  係止孔
５  下側壁金具
５１  第一板部
５２  第二板部
５３  係止具
８，８Ｅ，８Ｆ  治具
８１Ａ，８１Ｂ  挟持板部
８２  挿通孔
８５  本体板部
８６  小片
８７  スリット
１００Ｅ，１００Ｆ  金具ユニット
Ｗ  壁面
【図１】
2020134645.tif 000003
【図２】
2020134645.tif 000004
【図３】
2020134645.tif 000005
【図４】
2020134645.tif 000006
【図５】
2020134645.tif 000007
【図６】
2020134645.tif 000008
【図７】
2020134645.tif 000009
【図８】
2020134645.tif 000010
【図９】
2020134645.tif 000011
【図１０】
2020134645.tif 000012
【図１１】
2020134645.tif 000013
【図１２】
2020134645.tif 000014
【図１３】
2020134645.tif 000015